(57)【要約】【課題】より広い場所においても、認証時刻の同一性と該場所に在ることを保証できる、認証対象装置を認証することができる認証システム、認証対象装置、認証装置及び認証方法を提供すること。【解決手段】認証対象装置と、前記認証対象装置が特定領域に位置することを認証することを認証する認証装置とを備える認証システムであって、前記認証対象装置は、環境光を受光し、該環境光の特徴を表す検証情報を生成する検証情報生成部と、前記検証情報を前記認証装置に送信する送信部と、を具備し、前記認証装置は、前記認証対象装置から、前記検証情報を受信する検証情報受信部と、前記特定領域で受光した光の特徴を表す認証情報を取得する認証情報取得部と、前記検証情報が、前記認証情報を基準とした所定の範囲内にあるときは、前記認証対象装置は、前記特定領域に位置すると判定する判定部と、を具備することを特徴とする認証システムである。【選択図】図１
2014174690.tif 000002
【特許請求の範囲】
【請求項１】
認証対象装置と、前記認証対象装置が特定領域に位置することを認証する認証装置とを備える認証システムであって、
前記認証対象装置は、
環境光を受光し、該環境光の特徴を表す検証情報を生成する検証情報生成部と、
前記検証情報を前記認証装置に送信する送信部と、
を具備し、
前記認証装置は、
前記認証対象装置から、前記検証情報を受信する検証情報受信部と、
前記特定領域で受光された光の特徴を表す認証情報を取得する認証情報取得部と、
前記検証情報が、前記認証情報を基準とした所定の範囲内にあるときは、前記認証対象装置は、前記特定領域に位置すると判定する判定部と、
を具備することを特徴とする認証システム。
【請求項２】
前記検証情報は、前記環境光を、環境光の強度の時間変化を表す情報であること
を特徴とする請求項１に記載の認証システム。
【請求項３】
環境光を受光し、該環境光の特徴を表す検証情報を生成する検証情報生成部と、
自装置が特定領域に位置していることを認証する認証装置に、前記検証情報を送信する送信部と、
を具備することを特徴とする認証対象装置。
【請求項４】
認証対象装置が特定領域に位置することを認証する認証装置であって、
前記認証対象装置から、環境光の特徴を表す検証情報を受信する検証情報受信部と、
前記特定領域で受光された光の特徴を表す認証情報を取得する認証情報取得部と、
前記検証情報が、前記認証情報を基準とした所定の範囲内にあるときは、前記認証対象装置は、前記特定領域に位置すると判定する判定部と、
を具備することを特徴とする認証装置。
【請求項５】
認証対象装置と、前記認証対象装置が特定領域に位置することを認証する認証装置とを備える認証システムにおける認証方法であって、
前記認証対象装置が、環境光を受光し、該環境光の特徴を表す検証情報を生成する第１の過程と
前記認証対象装置が、前記検証情報を、前記認証装置に送信する第２の過程と、
前記認証装置が、前記認証対象装置から、前記検証情報を受信する第３の過程と、
前記認証装置が、前記特定領域で受光した光の特徴を表す認証情報を取得する第４の過程と、
前記認証装置が、前記検証情報が前記認証情報を基準とした所定の範囲内にあるときは、前記特定領域に位置すると判定する第５の過程と
を有することを特徴とする認証方法。
【発明の詳細な説明】
【技術分野】
【０００１】
この発明は、認証システム、認証対象装置、認証装置及び認証方法に関する。
【背景技術】
【０００２】
近年、携帯電話やスマートフォン、ノートＰＣ等の認証対象装置に、認証キーを持たせ、該認証キーを比較し、複数台の認証対象装置を同時に認証することは、認証対象装置同士での通信を確立する等、様々な場面でユーザ同士の情報のやり取りに利用されてきた。
例えば、特許文献１には、そのような認証方法として、音声情報を認証キーに用いて認証を行う技術が開示されている（特許文献１参照）。
【先行技術文献】
【特許文献】
【０００３】
【特許文献１】特開２００２−１７６４９６号公報
【発明の概要】
【発明が解決しようとする課題】
【０００４】
ところで、音声情報を認証キーとして用いる場合、同一音源からの距離によって、位置毎に音量の差が生じたり、局所的にノイズを拾ってしまったりして、同一の音声と認識されないという問題がある。
【０００５】
そこで本発明は、上記従来技術の問題に鑑みてなされたものであり、より広い場所においても、認証時刻の同一性と該場所に在ることを保証できる、認証対象装置を認証することができる認証システム、認証対象装置、認証装置及び認証方法を提供することにある。
【課題を解決するための手段】
【０００６】
この発明は、上記問題を解決するためになされたもので、本発明の一態様は、認証対象装置と、前記認証対象装置が特定領域に位置することを認証することを認証する認証装置とを備える認証システムであって、前記認証対象装置は、環境光を受光し、該環境光の特徴を表す検証情報を生成する検証情報生成部と、前記検証情報を前記認証装置に送信する送信部と、を具備し、前記認証装置は、前記認証対象装置から、前記検証情報を受信する検証情報受信部と、前記特定領域で受光した光の特徴を表す認証情報を取得する認証情報取得部と、前記検証情報が、前記認証情報を基準とした所定の範囲内にあるときは、前記認証対象装置は、前記特定領域に位置すると判定する判定部と、を具備することを特徴とする認証システムである。
【発明の効果】
【０００７】
本発明によれば、より広い場所においても、認証時刻の同一性と該場所に在ることを保証できる、認証対象装置を認証することができる認証システム、認証対象装置、認証装置及び認証方法を提供することができる。
【図面の簡単な説明】
【０００８】
【図１】本発明の一実施形態に係る認証システムの利用状況を説明する外観図である。
【図２】第１の実施形態における認証対象装置の構成を示す概略ブロック図である。
【図３】第１の実施形態におけるスペクトルテーブルの一例を表す表である。
【図４】第１の実施形態における認証対象装置が、認証サーバを通して認証されるまでの動作を説明するフローチャートである。
【図５】第１の実施形態における認証対象装置が認証サーバを通して認証されるまでの情報のやり取りを説明するシーケンス図である。
【図６】第２の実施形態における認証対象装置の構成を示す概略ブロック図である。
【発明を実施するための形態】
【０００９】
[第１の実施形態]
以下、図面を参照して、本発明の第１の実施形態について説明する。
図１は、この発明の一実施形態による認証システム９０の利用状況を説明する図である。本実施形態における認証システム９０は、認証キーとして、蛍光灯やＬＥＤ照明等の環境光を用いる。認証システム９０は、位置の認証を行い、同じ特定領域内の認証対象装置同士が通信できるようにする。例えば、同じ会議室に在る端末同士のみ通信できるようにする。特定領域１１、特定領域２１は、該同じ特定領域を表しており、認証対象装置３００、認証対象装置４００、認証対象装置５００が特定領域１１に在り、認証対象装置６００、認証対象装置７００、認証対象装置８００が特定領域２１に在ることを表している。
【００１０】
図１の照明２００と、照明２０１とは、互いに異なる種類の照明であるが、これらに限られるわけではない。照明２００と、照明２０１とが、同じ種類の照明であったとしても、例えば、蛍光灯の場合は、励起エネルギー源である放電現象自体が再現性の無いユニークなものであるため、照明２００と、照明２０１とを異なる照明として扱える。それに加えて、蛍光灯からの環境光は、時刻が異なると、該環境光のスペクトルの時間変化も異なる。従って、照明２００、照明２０１はそれぞれ自身、異なる時刻において、異なる照明として扱うことになる。また、擬似白色型ＬＥＤ照明の場合は、黄色蛍光体を光源とする波長帯において、蛍光体の特性として、スペクトルの時間変化や、輝度の時間変化等の応答が遅延し、さらには蛍光体の量・分布の違いによって該応答に特徴な違いが現れるため、照明２００と、照明２０１とを異なる照明として扱うことができる。本実施形態では、照明２００し、照明２０１は、擬似白色型ＬＥＤ照明であるとするが、これに限られるわけではない。
【００１１】
特定領域１１及び特定領域２１に在る各認証対象装置は、ネットワーク５０を介して、認証サーバ１００に、認証対象装置毎に該環境光を受光することによって生成した、後述するスペクトルテーブルを、認証を行うための検証情報として、認証サーバ１００に送信する。ネットワーク５０は、例えば、インターネットや移動体通信網等のネットワークであるが、これに限られるものではない。認証サーバ１００は、受信した各検証情報同士が、互いに所定の誤差の範囲内で一致するか否かを判定することで、各認証対象装置が、同じ特定領域内に在る認証対象装置であるか否かを判定する。該判定の処理の詳細は後述する。
【００１２】
図２は、本発明の一態様における、認証対象装置３００の概略ブロック図である。同図において、図１における各部に対応する部分には、同一の符号（２００、３００）を付し、説明を省略する。
認証対象装置３００は、分光フィルタ３０１、分光フィルタ３０２、分光フィルタ３０３、受光素子３１１、受光素子３２１、受光素子３３１、スペクトル計測部３０４、スペクトル記憶部３０６、通信部３０７、計時部３０５、アプリケーション３０８を含んで構成される。
【００１３】
分光フィルタ３０１は、照明２００から受光した環境光から、波長帯が４９５〜５７０ｎｍである緑の光だけを透過する分光フィルタであり、該緑の光のみを、受光素子３１１に照射する。分光フィルタ３０２は、波長帯が５７０〜５９０ｎｍである黄色の光だけを透過する分光フィルタであり、該黄色の光を、受光素子３２１に照射する。分光フィルタ３０３は、波長帯が６２０〜７５０ｎｍである赤の光だけを透過する分光フィルタであり、該赤の光を、受光素子３３１に照射する。
【００１４】
受光素子３１１は、分光フィルタ３０１を透過してきた該緑の光の強度を、対応する電流へと変換する。同様に、受光素子３２１、受光素子３３１はそれぞれ、分光フィルタ３０２、分光フィルタ３０３を透過してきた黄色、赤の光の強度を、それぞれに対応する電流へと変換する。受光素子３１１、受光素子３２１、受光素子３３１は、該変換されたそれぞれの電流を、スペクトル計測部３０４に出力する。
【００１５】
スペクトル計測部３０４は、所定の時間間隔毎に、受光素子３１１、受光素子３２１、受光素子３３１からそれぞれ電流値を、分光フィルタによって分光された色毎の光の強度を示す情報（以降、光強度という）として取得する。なお、本実施形態において、該所定の時間間隔は、１００マイクロ秒であるとするが、これに限られるわけではなく、擬似白色型ＬＥＤ照明のインバータ回路のＯＮ／ＯＦＦ時間と比べて短い時間間隔であればよい。
【００１６】
何故なら、該所定の時間間隔毎に取得された該光強度は、該擬似白色型ＬＥＤ照明のインバータ回路のＯＮ／ＯＦＦ時間毎に、蛍光体の光吸収、励起、発光の周期がスペクトルの時間変化として見えるからである。スペクトル計測部３０４は、後述するトリガ実行されるのと同時に、予め決められた一定時間の間、取得した該色毎の該光強度から、後述するスペクトルの形を表す情報（以降、スペクトル情報という）を算出し、該スペクトル情報を、スペクトルテーブルを生成して格納する。
【００１７】
また、スペクトル計測部３０４は、該トリガ実行された時刻と、該光強度を取得した時刻とを、計時部３０５から取得して差を取ることで、トリガ実行時刻を０秒として、該光強度が取得されたタイミング毎に、該トリガ実行時刻から該光強度を取得した時刻までの経過時間（以降、測定タイミングという）を算出し、該スペクトルテーブルに、該スペクトル情報と対応付けて格納する。スペクトルテーブルの詳細は後述する。スペクトル情報は、受光素子３２１から取得した黄色の光強度と、受光素子３１１から取得した緑の光強度、受光素子３３１から取得した赤の光強度との比を算出したものである。スペクトル計測部３０４は、該スペクトルテーブルを生成すると、該スペクトルテーブルを、スペクトル記憶部３０６に記憶させる。
スペクトル記憶部３０６は、スペクトルテーブルを取得して記憶する。
計時部３０５は、認証対象装置３００の時計であり、要求に従い、認証対象装置の各部に、該要求があった時刻を通知する。
【００１８】
アプリケーション３０８は、認証対象装置３００上で動作する、各種アプリケーションである。また、アプリケーション３０８は、スペクトル記憶部３０６から、スペクトルテーブルを読み込み、該スペクトルテーブルを、通信部３０７からネットワーク５０を介して、認証サーバ１００に送信する。アプリケーション３０８は、通信部３０７から、認証許可通知、認証拒否通知のいずれか一方を取得し、該認証許可通知を取得した場合、該認証許可通知とともに、認証された他の認証対象装置を示す情報を取得する。
【００１９】
該認証された他の認証対象装置を示す情報は、該認証対象装置の電子メールアドレスでもよいし、特定のアプリケーション間で認証対象装置間を識別するＩＤでもよいが、これらに限られるわけではない。アプリケーション３０８は、該認証許可通知、該認証された他の認証対象装置を示す情報を取得すると、該認証された他の認証対象装置を示す情報に対応する認証対象装置と通信を開始する。
【００２０】
アプリケーション３０８は、例えば、同じ会議室に在るすべての認証対象装置に、会議資料を共有するため、認証システム９０による認証を利用するアプリケーションでもよいし、同じ部屋に在ると認証された認証対象装置同士での通信対戦を行うゲームのアプリケーションでもよいが、これらに限られるわけではない。
通信部３０７は、認証対象装置３００の通信装置であり、例えば、無線ＬＡＮ（Local Area Network）、Ｗｉ−Ｆｉ（Wireless Fidelity）、Ｂｌｕｅｔｏｏｔｈ（登録商標）等による無線通信により、サーバや他の認証対象装置とデータ交換するための汎用通信装置であるが、これらに限られるわけではなく、通信ケーブルを介した有線通信を行う通信装置であってもよい。通信部３０７は、アプリケーション３０８から、スペクトルテーブルを取得すると、ネットワーク５０を介して、該スペクトルテーブルを、認証サーバ１００に送信する。また、通信部３０７は、認証サーバ１００から、認証情報、認証エラー情報のいずれか一方を受信し、アプリケーション３０８に通知する。
【００２１】
図３は、スペクトルテーブルの一例を表す表である。スペクトルテーブルｔ１００は、測定タイミングｔ１０１と、スペクトル情報ｔ１０２とを格納する。スペクトル情報ｔ１０２は、測定タイミング毎に２つずつ５組のスペクトル情報を格納している。従って、本実施形態において、認証サーバ１００は、スペクトル情報ｔ１０２と、他のスペクトルテーブルのスペクトル情報とを比較し、これらが所定の誤差の範囲内で一致するスペクトルテーブルの割合が、所定の割合以上のとき、スペクトルテーブルｔ１００と、該他のスペクトルテーブルとが一致したと判定される。なお、本実施形態において、該所定の誤差の範囲は、±１０％とするが、これに限られるわけではない。また、該所定の誤差の範囲は、ユーザがアプリケーション３０８のインターフェイスを通して決定することができるとしてもよい。また、本実施形態において、所定の割合は６０％とするが、これに限られるわけではない。
【００２２】
図４は、認証対象装置３００が、認証サーバ１００を介して、他の認証対象装置と同じ特定領域内に在ることの認証を行う動作を説明するフローチャートである。認証対象装置３００の各部と、認証サーバ１００とは、ＳＴ１０１からＳＴ１０９の動作を行う。
スペクトル計測部３０４は、トリガ実行と同時に、色毎の光強度を取得する（ＳＴ１０１）。
次に、スペクトル計測部３０４は、スペクトル情報を算出して、スペクトルテーブルを生成する（ＳＴ１０２）。
次に、アプリケーション３０８は、該スペクトルテーブルを、認証サーバ１００に送信する（ＳＴ１０３）。
次に、認証サーバ１００は、認証対象装置毎のスペクトルテーブルを比較し、各スペクトル情報が一致する割合を算出する（ＳＴ１０４）。
【００２３】
次に、認証サーバ１００は、該一致する割合が、所定の割合以上か否かを判定する（ＳＴ１０５）。認証サーバ１００は、該一致する割合が所定の割合以上のとき（ＳＴ１０５−Ｙｅｓ）、ＳＴ１０６に遷移する。認証サーバ１００は、該一致する割合が所定の割合未満のとき（ＳＴ１０５−Ｎｏ）、ＳＴ１０８に遷移する。
【００２４】
認証サーバ１００は、認証対象装置３００と、他の認証対象装置とが同じ特定領域内に在ることを認証する（ＳＴ１０６）。
次に、認証サーバ１００は、認証対象装置３００と、認証対象装置３００と同じ特定領域内に在ると判定されたすべての認証対象装置とに、認証許可通知及び認証された他の認証対象装置を示す情報を送信する（ＳＴ１０７）。
【００２５】
認証サーバ１００は、認証対象装置３００と、他の認証対象装置が同じ特定領域内に在ることを認証しない（ＳＴ１０８）。
次に、認証サーバ１００は、認証対象装置３００と、他の認証対象装置とに、認証拒否通知を送信する（ＳＴ１０９）。
なお、認証サーバ１００は、認証対象装置が３台以上の場合、各スペクトルテーブル内の、測定タイミング毎のスペクトル情報について平均値を算出し、該平均値の所定の誤差の範囲内に、認証対象装置毎のスペクトル情報が入っているか否かを判定することで、各認証対象装置が、同じ特定領域に在ることを認証してもよい。
【００２６】
図５は、認証対象装置３００が、認証サーバ１００を通して、他の認証対象装置と同じ特定領域に在ると認証されるまでの動作例を説明するシーケンス図である。まず、認証対象装置３００は、アプリケーション３０８が起動されると、認証サーバ１００に対して、通信の許可を要求する（ｓ１００）。他の認証対象装置は、アプリケーション３０８が起動されると、認証サーバ１００に対して、通信の許可を要求する（ｓ１０１）。認証サーバ１００は、認証対象装置３００、他の認証対象装置から、通信の許可の要求を受けると、認証対象装置３００、他の認証対象装置へ通信の許可を送信する（ｓ１０２）。
【００２７】
認証対象装置３００、他の認証対象装置は、トリガ実行される（ｓ１０３）。本実施形態において、該トリガは、所定の閾値を超える強度の環境光の受光とするが、これに限られるわけではなく、例えば音や物理的接触による衝撃等でもよい。また、具体的にはトリガは、例えば一旦部屋の照明を暗くし、その後再び照明を明るくしたときに実行される。認証対象装置３００は、スペクトルテーブルを生成する（ｓ１０４）。
【００２８】
他の認証対象装置は、スペクトルテーブルを生成する（ｓ１０５）。認証対象装置３００は、該スペクトルテーブルを、認証サーバ１００に送信する（ｓ１０６）。他の認証対象装置は、該スペクトルテーブルを、認証サーバ１００に送信する（ｓ１０７）。認証サーバ１００は、認証対象装置毎のスペクトルテーブルを比較し、認証対象装置３００と、他の認証対象装置とが、同じ特定領域内に在るか否かを判定して認証する（ｓ１０８）。認証サーバ１００は、認証対象装置３００、他の認証対象装置に、認証許可通知と、認証対象装置を示す情報とを送信する（ｓ１０９）。
【００２９】
このように、スペクトル計測部３０４は、認証対象装置３００が受光した光の特徴を表す情報として、スペクトル情報を算出し、認証サーバ１００は、該スペクトル情報を格納したスペクトルテーブルを認証キーとして用いることで、位置毎に同一光源からの光量等に差が生じるような広い場所においても、認証対象装置３００と、他の認証対象装置とが同じ特定領域内に在ることを良好に認証することができる。
【００３０】
なお、擬似白色型ＬＥＤ照明が発する光のうち、蛍光体が発する光の光強度の時間変化は、蛍光体の量や分布によって異なる。したがって、光強度の時間変化は、擬似白色型ＬＥＤ照明の個体毎に異なる。特に、黄色の蛍光体が発する光の光強度の時間変化は、蛍光体の量や分布による違いが表れやすいため、擬似白色型ＬＥＤ照明の個体を識別する情報として望ましい。そのため、本実施形態では、黄色の光の光強度を、黄色に比べて光強度の時間変化が表れづらい赤または緑の光の光強度を使って正規化した値の時間変化を、認証キーとして用いたが、これに限られない。例えば、トリガ実行されたときなど、特定のタイミングにおける黄色の光の光強度を用いて、黄色の光の光強度を正規化した値の時間変化を、認証キーとして用いるようにしてもよい。また、分光して得られた黄色以外の色の光の光強度を正規化した値の時間変化を、認証キーとして用いるようにしてもよい。
【００３１】
さらに、蛍光灯の場合は、蛍光灯管内での放電により生じた紫外線により励起された蛍光体が、光を発しているため、光強度の時間変化がユニークとなっている。このため、環境光が、蛍光灯が発した光であるときは、分光していない光の光強度の時間変化を、認証キーとして用いるようにしてもよい。このとき、分光していない光の光強度を、トリガ実行されたとき等、特定のタイミングにおける光強度で正規化してもよいし、分光してえられた特定の色の光の光強度で正規化してもよい。
さらに、擬似白色型ＬＥＤ照明または蛍光灯の場合、トリガ実行されたとき等、特定のタイミングにおける光のスペクトルは、ユニークとなっている。そこで、該光のスペクトルを表す情報を認証キーとして用いるようにしてもよい。スペクトルを表す情報としては、例えば、黄色の光の光強度で、緑、赤の光の光強度を正規化したものがある。
【００３２】
また、認証サーバ１００は、スペクトル情報を比較することで、認証対象装置同士が、同じ特定領域に在るか否かを判定して認証していたが、これに限られず、相関検出を用いてもよい。この場合、認証キーは、赤や緑の光強度で正規化された黄色の光強度の時間変化ではなく、黄色の光強度の時間変化を使う。具体的には、認証対象装置毎の、該黄色の光強度の時間変化の相似性を、相関検出を用いて評価し、相関係数がある閾値を超えたか否かによって、該認証対象装置同士が同じ特定領域に在ることを認証する。
【００３３】
[第２の実施形態]
第２の実施形態では、認証サーバ１００に相当する、スペクトル比較認証部３１０が、認証対象装置３００ｂと、認証対象装置４００との内部に含まれている。
図６は、第２の実施形態における認証対象装置３００ｂの概略ブロック図である。同図において、図１における各部に対応する部分には、同一の符号（２００、３０１〜３０８、３１１、３２１、３３１）を付し、説明を省略する。
【００３４】
認証対象装置３００ｂと、認証対象装置４００ｂとは、分光フィルタ３０１、分光フィルタ３０２、分光フィルタ３０３、受光素子３１１、受光素子３２１、受光素子３３１、スペクトル計測部３０４、スペクトル記憶部３０６、通信部３０７ｂ、計時部３０５、アプリケーション３０８、スペクトル比較認証部３１０を含んで構成される。
認証対象装置３００の通信部３０７ｂは、アプリケーション３０８から、自装置のスペクトルテーブルを取得し、スペクトル比較認証部３１０と、認証対象装置４００の通信部３０７ｂとに、該スペクトルテーブルを出力する。
【００３５】
また、認証対象装置３００ｂの通信部３０７ｂは、認証対象装置４００の通信部３０７ｂから、認証対象装置４００のスペクトルテーブルを取得し、該スペクトルテーブルを、スペクトル比較認証部３１０に出力する。
スペクトル比較認証部３１０は、認証対象装置毎のスペクトルテーブルを取得すると、該認証対象装置毎のスペクトルテーブルを参照して、測定タイミング毎に、スペクトル情報同士を比較し、所定の誤差の範囲内で一致するか否かを判定し、認証対象装置３００ｂと、認証対象装置４００とが同じ特定の領域内に在ることを認証する。
このように、認証サーバ１００に相当する、スペクトル比較認証部３１０が、認証対象装置３００ｂと、認証対象装置４００との内部に含まれていることで、第１の実施形態と同じ効果が得ることができる。
【００３６】
なお、上記第１、第２の実施形態において、光の強度を用いて、認証キーとなるスペクトルテーブルを生成したが、これに限られず、例えば、環境光の輝度の時間変化用いてもよい。
また、上記第１、第２の実施形態において、環境光は、照明であるとしたが、これに限られず、認証を行うために用意した、例えば懐中電灯等を環境光として利用してもよい。
また、図１における認証対象装置３００、認証サーバ１００の機能をそれぞれ実現するためのプログラムをコンピュータ読み取り可能な記録媒体に記録して、この記録媒体に記録されたプログラムをコンピュータシステムに読み込ませ、実行することにより認証システム９０を構成してもよい。なお、ここでいう「コンピュータシステム」とは、ＯＳや周辺機器等のハードウェアを含むものとする。
【００３７】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。
【００３８】
また上記プログラムは、前述した機能の一部を実現するためのものであっても良く、さらに前述した機能をコンピュータシステムにすでに記録されているプログラムとの組み合わせで実現できるものであっても良い。
以上、この発明の実施形態を、図面を参照して詳述してきたが、具体的な構成はこの実施形態に限られるものではなく、この発明の要旨を逸脱しない範囲の設計変更等も含まれる。
【００３９】
（１）本発明の一態様は、認証対象装置と、前記認証対象装置が特定領域に位置することを認証する認証装置とを備える認証システムであって、前記認証対象装置は、環境光を受光し、該環境光の特徴を表す検証情報を生成する検証情報生成部と、前記検証情報を前記認証装置に送信する送信部と、を具備し、前記認証装置は、前記認証対象装置から、前記検証情報を受信する検証情報受信部と、前記特定領域で受光された光の特徴を表す認証情報を取得する認証情報取得部と、前記検証情報が、前記認証情報を基準とした所定の範囲内にあるときは、前記認証対象装置は、前記特定領域に位置すると判定する判定部と、を具備することを特徴とする認証システムである。
【００４０】
（２）また、本発明の他の態様は、前記検証情報は、前記環境光を、環境光の強度の時間変化を表す情報であることを特徴とする（１）に記載の認証システムである。
【００４１】
（３）また、本発明の他の態様は、環境光を受光し、該環境光の特徴を表す検証情報を生成する検証情報生成部と、自装置が特定領域に位置していることを認証する認証装置に、前記検証情報を送信する送信部と、を具備することを特徴とする認証対象装置である。
（４）また、本発明の他の態様は、認証対象装置が特定領域に位置することを認証する認証装置であって、前記認証対象装置から、環境光の特徴を表す検証情報を受信する検証情報受信部と、前記特定領域で受光された光の特徴を表す認証情報を取得する認証情報取得部と、前記検証情報が、前記認証情報を基準とした所定の範囲内にあるときは、前記認証対象装置は、前記特定領域に位置すると判定する判定部と、を具備することを特徴とする認証装置である。
【００４２】
（５）また、本発明の他の態様は、第１の過程は、環境光を受光し、該環境光の特徴を表す検証情報を生成し、第２の過程は、前記検証情報を、認証対象装置が特定領域に位置していることを認証する認証装置に送信し、第３の過程は、前記認証対象装置から、前記検証情報を受信し、第４の過程は、前記特定領域で受光した光の特徴を表す認証情報を取得し、第５の過程は、前記検証情報が、前記認証情報を基準とした所定の範囲内にあるときは、前記認証対象装置は、前記特定領域に位置すると判定することを特徴とする認証方法である。
【産業上の利用可能性】
【００４３】
本発明は、認証対象装置同士が同じ特定領域内に在ることを認証する際に好適に用いられるが、これに限られない。
【符号の説明】
【００４４】
１１・・・特定領域  ２１・・・特定領域  ５０・・・ネットワーク  １００・・・認証サーバ  ２００・・・照明  ２０１・・・照明  ３００・・・認証対象装置  ３０１・・・分光フィルタ  ３０２・・・分光フィルタ  ３０３・・・分光フィルタ  ３０４・・・スペクトル計測部  ３０５・・・計時部  ３０６・・・スペクトル記憶部  ３０７・・・通信部  ３０８・・・アプリケーション    ３１０・・・スペクトル比較認証部  ３１１・・・受光素子  ３２１・・・受光素子  ３３１・・・受光素子  ４００・・・認証対象装置  ５００・・・認証対象装置  ６００・・・認証対象装置  ７００・・・認証対象装置  ８００・・・認証対象装置
【図１】
2014174690.tif 000003
【図２】
2014174690.tif 000004
【図３】
2014174690.tif 000005
【図４】
2014174690.tif 000006
【図５】
2014174690.tif 000007
【図６】
2014174690.tif 000008